(57)【要約】【課題】支持層の掘削を回避することにより杭孔の掘削を容易にしながら、必要最低限の杭先端支持力を確実に確保可能な杭基礎の構築方法及び杭基礎を提供する。【解決手段】杭基礎の構築方法は、地盤に杭孔を形成する掘削工程と、杭孔に杭周固定液を充填する杭周固定液充填工程と、杭孔の下端部に根固め液を充填する根固め液充填工程と、杭孔に既製杭を挿入する既製杭挿入工程と、を備え、掘削工程にて、地盤中の支持層に到達した時点で杭孔の掘削を停止し、既製杭挿入工程では、既製杭の下端を支持層に当接させ、既製杭の下端が支持層に当接した状態で根固め液を硬化させる。【選択図】  図３
2017096038.tif 000002
【特許請求の範囲】
【請求項１】
地盤に杭孔を形成する掘削工程と、
前記杭孔に杭周固定液を充填する杭周固定液充填工程と、
前記杭孔の下端部に根固め液を充填する根固め液充填工程と、
前記杭孔に既製杭を挿入する既製杭挿入工程と、を備え、
前記掘削工程にて、前記地盤中の支持層に到達した時点で前記杭孔の掘削を停止し、
前記既製杭挿入工程では、前記既製杭の下端を前記支持層に当接させ、
前記既製杭の下端が前記支持層に当接した状態で前記根固め液を硬化させる
ことを特徴とする杭基礎の構築方法。
【請求項２】
前記杭孔の直径は、前記杭孔の下端部にて拡大されている
ことを特徴とする請求項１に記載の杭基礎の構築方法。
【請求項３】
前記杭孔の直径は一定である
ことを特徴とする請求項１に記載の杭基礎の構築方法。
【請求項４】
地盤に形成された杭孔と、
前記杭孔に挿入された既製杭と、
前記既製杭の下端部を囲む根固め部と、
を備え、
前記杭孔の下端は、軟弱層と支持層の境界に位置し、
前記既製杭の下端は、前記支持層に当接している
ことを特徴とする杭基礎。
【請求項５】
前記杭孔の直径は、前記杭孔の下端部にて拡大されている
ことを特徴とする請求項４に記載の杭基礎。
【請求項６】
前記杭孔の直径は一定である
ことを特徴とする請求項４に記載の杭基礎。
【発明の詳細な説明】
【技術分野】
【０００１】
本開示は杭基礎の構築方法及び杭基礎に関する。
【背景技術】
【０００２】
既製杭を用いて杭基礎を構築する場合、一般的に杭周固定液を注入した後に根固め液を注入する。そして、既製杭の先端（下端）が根固め液内の所定の深度に到達するまで既製杭を杭孔内に沈める。この後、根固め液が硬化することにより、既製杭の先端部を囲むように円柱形状の根固め部が形成される。
根固め部内への既製杭の根入れ深さは、例えば、既製杭の直径の３倍程度に設定され、根固め部において既製杭の先端よりも深い部分の長さは、既製杭の直径の２倍程度に設定される。
【０００３】
一方、特許文献１が開示する先端地盤改良杭は、既製杭と、既製杭の先端以深の支持層内に形成されたセメント柱又はモルタル柱とからなり、セメント柱又はモルタル柱は、その周面摩擦力を既製杭の支持力とみなされるように形成されている。特許文献１によれば、支持層の深さが一定でない場合、それに対応して杭孔の深さも変化するが、ソイルセメント柱の径と長さ（余掘り部の部分の長さ）を調節することにより、既製杭の長さを変えずに、既製杭の先端支持力を同等に設定することができる。
【先行技術文献】
【特許文献】
【０００４】
【特許文献１】特開２００４−３３２２６２号公報
【発明の概要】
【発明が解決しようとする課題】
【０００５】
特許文献１が開示する先端地盤改良杭の設計方法では、各杭孔は、支持層の深さにかかわらずに、支持層の内部まで到達しており、杭孔形成のために支持層が掘削されている。この場合、支持層は一般的に硬いため、支持層の掘削には時間を要するという問題がある。一方、支持層をわざわざ掘削せずとも、杭の先端支持力を確保可能な場合がある。
【０００６】
上述の事情に鑑みて、本発明の少なくとも一実施形態の目的は、支持層の掘削を回避することにより杭孔の掘削を容易にしながら、必要最低限の杭先端支持力を確実に確保可能な杭基礎の構築方法及び杭基礎を提供することにある。
【課題を解決するための手段】
【０００７】
（１）本発明の少なくとも一実施形態に係る杭基礎の構築方法は、
地盤に杭孔を形成する掘削工程と、
前記杭孔に杭周固定液を充填する杭周固定液充填工程と、
前記杭孔の下端部に根固め液を充填する根固め液充填工程と、
前記杭孔に既製杭を挿入する既製杭挿入工程と、を備え、
前記掘削工程にて、前記地盤中の支持層に到達した時点で前記杭孔の掘削を停止し、
前記既製杭挿入工程では、前記既製杭の下端を前記支持層に当接させ、
前記既製杭の下端が前記支持層に当接した状態で前記根固め液を硬化させる。
【０００８】
上記構成（１）によれば、支持層に到達した時点で杭孔の掘削を停止するので、支持層を掘削する必要がなく、掘削に要する時間を短縮することができる。一方、上記構成（１）によれば、既製杭の下端を支持層に当接させるので、既製杭が支持層によって確実に支持される。このため、必要最低限の杭先端支持力を確実に確保することができる。
【０００９】
（２）幾つかの実施形態では、上記構成（１）において、
前記杭孔の直径は、前記杭孔の下端部にて拡大されている。
上記構成（２）によれば、杭孔の下端部が拡大されたことにより、杭基礎の根固め部が拡大され、根固め部の周面摩擦力が増大する。これにより、より大きな杭先端支持力を確保することができる。
【００１０】
（３）幾つかの実施形態では、上記構成（１）において、
前記杭孔の直径は一定である。
上記構成（３）によれば、杭孔の直径が一定であるので、杭孔の下端部を拡大する必要がなく、より短期間で杭基礎を構築可能である。
【００１１】
（４）本発明の少なくとも一実施形態に係る杭基礎は、
地盤に形成された杭孔と、
前記杭孔に挿入された既製杭と、
前記既製杭の下端部を囲む根固め部と、
を備え、
前記杭孔の下端は、軟弱層と支持層の境界に位置し、
前記既製杭の下端は、前記支持層に当接している。
【００１２】
上記構成（４）によれば、杭基礎の構築の際、支持層に到達した時点で杭孔の掘削を停止してもよいので、支持層を掘削する必要がなく、掘削に要する時間を短縮することができる。一方、上記構成（４）によれば、既製杭の下端が支持層に当接しているので、既製杭が支持層によって確実に支持される。このため、必要最低限の杭先端支持力を確実に確保することができる。
【００１３】
（５）幾つかの実施形態では、上記構成（４）において、
前記杭孔の直径は、前記杭孔の下端部にて拡大されている。
上記構成（５）によれば、杭孔の下端部が拡大されたことにより、杭基礎の根固め部が拡大され、根固め部の周面摩擦力が増大する。これにより、より大きな杭先端支持力を確保することができる。
【００１４】
（６）幾つかの実施形態では、上記構成（４）において、
前記杭孔の直径は一定である。
上記構成（６）によれば、杭孔の直径が一定であるので、杭孔の下端部を拡大する必要がなく、より短期間で杭基礎を構築可能である。
【発明の効果】
【００１５】
本発明の少なくとも一実施形態によれば、支持層の掘削を回避することにより杭孔の掘削を容易にしながら、必要最低限の杭先端支持力を確実に確保可能な杭基礎の構築方法及び杭基礎が提供される。
【図面の簡単な説明】
【００１６】
【図１】本発明の一実施形態に係る杭基礎の構築方法が適用された構造体の概略的な構成を示す図である。
【図２】図１の領域ＩＩの概略的な拡大図である。
【図３】本発明の一実施形態に係る杭基礎の構築方法の概略的な手順を示すフローチャートである。
【図４】図３の杭基礎の構築方法の各工程を説明するための図である。
【図５】他の実施形態に係る杭基礎の図２に相当する図である。
【発明を実施するための形態】
【００１７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００１８】
図１は、構造体１の概略的な構成を示す図である。構造体１は、本発明の一実施形態に係る杭基礎２と、杭基礎２によって支持された上部構造４とを有する。杭基礎２は、複数の既製杭６によって構成されている。
【００１９】
図２は、図１中の領域ＩＩを拡大して示す図であり、既製杭６の下端部及びその周辺を概略的に示す断面図である。例えば、既製杭６は、中空円筒形状を有し、図示しないけれども、既製杭６の両端に配置される端板と端板間に挟まれた中空円筒形状のコンクリートによって構成されている。
【００２０】
既製杭６は、地盤に掘られた杭孔８に埋設されている。杭孔８の下端は、地盤中の軟弱層１０と支持層１２との境界、即ち支持層１２の上側表面に位置している。例えば、軟弱層１０とは３０未満のＮ値を有する地層であり、支持層１２とは３０以上のＮ値を有する砂、礫又は砂礫からなる地層である。軟弱層１０と支持層１２との境界でのＮ値の変化は不連続である必要はなく、Ｎ値が連続的に変化していてもよい。
【００２１】
既製杭６の下端部は、根固め部１４によって囲まれている。根固め部１４は例えばセメントによって構成されている。根固め部１４の外形形状は円筒形状である。根固め部１４よりも上方の既製杭６の部分は、杭周部１６によって囲まれている。杭周部１６は例えばソイルセメントによって構成されている。
なお、既製杭６が中空の場合、根固め部１４及び杭周部１６をそれぞれ構成するセメント及びソイルセメントは、既製杭６の内部にも充填される。
そして、既製杭６の下端は支持層１２に当接している。
【００２２】
図３は、本発明の一実施形態に係る杭基礎の構築方法の概略的な手順を示すフローチャートである。図４は、杭基礎の構築方法の各工程を概略的に説明するための図である。
図３に示したように、杭基礎の構築方法は、掘削工程Ｓ１、杭周固定液充填工程Ｓ２、根固め液充填工程Ｓ３、及び、既製杭挿入工程Ｓ４を有している。
掘削工程Ｓ１では、図４（ａ）及び図４（ｂ）に示すように、掘削機１８を用いて地盤を掘削し、地盤に杭孔８を形成する。
ここで、掘削工程Ｓ１にて、図４（ｂ）に示したように、地盤中の支持層１２に到達した時点で杭孔８の掘削を停止する。
【００２３】
杭周固定液充填工程Ｓ２では、杭孔８に杭周固定液２０を溜める。そのために、例えば、図４（ｂ）に示したように地盤を掘削しながら、掘削機１８の先端から掘削中の杭孔８内に杭周固定液２０を注入する。掘削された土壌と杭周固定液２０とが掘削機１８によって混合攪拌される。
【００２４】
次に、根固め液充填工程Ｓ３では、杭孔８の下端部に根固め液２２を充填する。そのために、例えば図４（ｃ）に示したように、杭周固定液２０の下部に根固め液２２を充填して根固め液２２に置換する。この場合、掘削機１８の先端から、杭孔８の下端部に根固め液２２を注入する。
この後、図４（ｄ）に示したように、掘削機１８を杭孔８から引き上げ、既製杭挿入工程Ｓ４を実施する。なお、掘削機１８を杭孔８から引き上げる際、掘削機１８にて杭周固定液２０を攪拌するとともに、更に杭周固定液２０を注入してもよい。
既製杭挿入工程Ｓ４では、図４（ｅ）及び図４（ｆ）に示したように、例えば杭打ち機２４を使って、杭孔８に既製杭６を挿入する。
【００２５】
そして、既製杭挿入工程Ｓ４では、既製杭６の下端を支持層１２に当接させ、既製杭６の下端が支持層１２に当接した状態で根固め液２２を硬化させる。根固め液２２が硬化すると根固め部１４を構成し、杭周固定液２０が硬化すると杭周部１６を構成する。
従って、支持層１２が浅ければ杭孔８が浅くなって既製杭６が短くなり、支持層１２が深ければ杭孔８が深くなって既製杭６が長くなる。
【００２６】
上記構成によれば、支持層１２に到達した時点で杭孔８の掘削を停止するので、軟弱層１０に比べて硬い支持層１２を掘削する必要がなく、掘削に要する時間を短縮することができる。一方、上記構成によれば、既製杭６の下端を支持層１２に当接させるので、既製杭６が支持層１２によって確実に支持される。このため、必要最低限の杭先端支持力を確実に確保することができる。
なお、杭孔８が支持層１２に到達したか否かは、掘削機１８の駆動装置（電動モータや油圧モータ）に作用する抵抗値（電動モータの電流値や油圧モータの油圧値）に基づいて判定することが可能である。
【００２７】
幾つかの実施形態では、図２及び図４に示したように、杭孔８の直径は、長手方向全体に渡って一定である。
上記構成によれば、杭孔８の直径が一定であるので、杭孔８の下端部を拡大する必要がなく、より短期間で杭基礎２を構築可能である。
【００２８】
最後に、本発明は上述した幾つかの実施形態に限定されることはなく、上述した実施形態に変形を加えた形態や、これらの形態を適宜組み合わせた形態も含む。
例えば、上述した実施形態では、杭周固定液充填工程Ｓ２の後に根固め液充填工程Ｓ３を実施する場合について説明したが、これに限定されるものではなく、根固め液充填工程Ｓ３の後に杭周固定液充填工程Ｓ２を実施してもよい。つまり、杭周固定液充填工程Ｓ２及び根固め液充填工程Ｓ３の順序に拘わらずに、杭周固定液充填工程Ｓ２及び根固め液充填工程Ｓ３の後に、杭孔８の下端部に根固め液２２が充填され、根固め液２２よりも上方に杭周固定液２０が充填されていればよい。
また例えば、図５に示したように、杭孔８の直径は下端部にて拡大されていてもよい。つまり、杭孔８の上端部や中間部の直径よりも、杭孔８の下端部の直径の方が大きくてもよい。この場合、根固め部２６の直径が、杭周部１６の直径よりも大きくなる。
上記構成によれば、杭孔８の下端部が拡大されたことにより、杭基礎２の根固め部２６が拡大され、根固め部２６の周面摩擦力が増大する。これにより、より大きな杭先端支持力を確保することができる。
なお、杭孔８の下端部を拡大する場合、真っ直ぐな杭孔８を掘った後、拡底用の掘削機を用いて杭孔８の下端部のみ直径を拡大することができる。
【符号の説明】
【００２９】
１            構造体
２            杭基礎
４            上部構造
６            既製杭
８            杭孔
１０          軟弱層
１２          支持層
１４，２６    根固め部
１６          杭周部
１８          掘削機
２０          杭周固定液
２２          根固め液
２４          杭打ち機
【図１】
2017096038.tif 000003
【図２】
2017096038.tif 000004
【図３】
2017096038.tif 000005
【図４】
2017096038.tif 000006
【図５】
2017096038.tif 000007